(57)【要約】      （修正有）【課題】布団ズレが生じにくい布団カバーを提供する。【解決手段】略長方形のカバー本体部１１と、略長方形のポケット形成用カバー部１２と、カバー本体部と布団とを連結するための留め具２０ａ、ｂを有する布団カバーであって、ポケット形成用カバー部の長辺の長さが、カバー本体部の短辺の長さと略同一であり、ポケット形成用カバー部の短辺の長さが、カバー本体部の長辺の長さの２分の１以下であり、ポケット形成用カバー部の１つの長辺とカバー本体部の一つの短辺とが接続し、かつポケット形成用カバー部の２つの短辺とカバー本体部の２つの長辺とが接続することで、ポケット部を形成し、開口部１４が互いに向かいあうように、二つのポケット部がカバー本体部の同じ面に位置し、留め具は、ポケット部が位置するカバー本体部の面の四隅部近傍、四辺部の中心近傍、及びカバー本体部の長辺側の四隅部と四辺部の中心との間に位置する。【選択図】図１
0003212622.tif 000002
【実用新案登録請求の範囲】
【請求項１】
略長方形のカバー本体部と、略長方形のポケット形成用カバー部と、前記カバー本体部と布団とを連結するための留め具を有する布団カバーであって、
前記ポケット形成用カバー部の長辺の長さが、前記カバー本体部の短辺の長さと略同一であり、前記ポケット形成用カバー部の短辺の長さが、前記カバー本体部の長辺の長さの２分の１以下であり、
前記ポケット形成用カバー部の１つの長辺と前記カバー本体部の一つの短辺とが接続し、かつ前記ポケット形成用カバー部の２つの短辺と前記カバー本体部の２つの長辺とが接続することで、ポケット部を形成し、
開口部が互いに向かいあうように、二つの前記ポケット部が前記カバー本体部の同じ面に位置し、
前記留め具が、前記ポケット部が位置する前記カバー本体部の面の四隅部近傍、四辺部の中心近傍、及び前記カバー本体部の長辺側の四隅部と四辺部の中心との間に位置することを特徴とする、布団カバー。
【請求項２】
前記長辺側の四隅部と四辺部の中心との間に位置する留め具が、前記ポケット部内に位置することを特徴とする、請求項１に記載の布団カバー。
【請求項３】
前記留め具が、スナップ型の留め具であることを特徴とする、請求項１及び２に記載の布団カバー。
【考案の詳細な説明】
【技術分野】
【０００１】
本考案は、布団ずれを抑制可能な布団カバーに関するものである。
【背景技術】
【０００２】
布団カバーには、ファスナー型、フラット型、紐型、ボタン型、フィット型及びポケット型等、様々な種類が存在する。
【０００３】
例えば、特許文献１には、布団カバーの両サイドを縫い合わせないで開放し、内部に布団を結びつけるための紐を備える布団カバーが記載されている。
また、特許文献２には、布団を内部に収容するための開口を有する袋体に表布と裏布を縫い合わせ、内部に布団を結びつけるための結び紐を備える布団カバーが記載されている。
【０００４】
しかし、上記特許文献１、２に記載されているような、布団を内部に収容する型の布団カバーは、取り外しが億劫であり、こまめに交換するには面倒であるという問題がある。
一方で、布団に被せたり、留め具により引っ掛ける型の布団カバーは、ズレが生じやすく、寝心地が悪くなるという問題があった。
【先行技術文献】
【特許文献】
【０００５】
【特許文献１】特開２０１５−０６１６１２号公報
【特許文献２】実用新案登録第３１９９８０６号公報
【考案の概要】
【考案が解決しようとする課題】
【０００６】
上記の問題に鑑み、本考案は、布団のズレが生じにくい布団カバーを提供することを課題とする。
本考案のさらなる課題は、布団ズレが生じにくく、かつ、取り外しが容易な布団カバーを提供することにある。
【課題を解決するための手段】
【０００７】
上記課題を解決する本考案は、
略長方形のカバー本体部と、略長方形のポケット形成用カバー部と、前記カバー本体部と布団とを連結するための留め具を有する布団カバーであって、
前記ポケット形成用カバー部の長辺の長さが、前記カバー本体部の短辺の長さと略同一であり、前記ポケット形成用カバー部の短辺の長さが、前記カバー本体部の長辺の長さの２分の１以下であり、
前記ポケット形成用カバー部の１つの長辺と前記カバー本体部の一つの短辺とが接続し、かつ前記ポケット形成用カバー部の２つの短辺と前記カバー本体部の２つの長辺とが接続することで、ポケット部を形成し、
開口部が互いに向かいあうように、二つの前記ポケット部が前記カバー本体部の同じ面に位置し、
前記留め具が、前記カバー本体部の四隅部近傍、四辺部の中心近傍、及び前記カバー本体部の長辺側の四隅部と四辺部の中心との間に位置する布団カバーである。
【０００８】
本考案の布団カバーは、布団の両端部を二つのポケット部に挿入し、前記カバー本体部の四隅部近傍、四辺部の中心近傍、及び長辺側の四隅部と四辺部の中心との間に位置留め具により、布団とカバー本体部とを連結することで、布団のズレを抑制することができる。
【０００９】
本考案の好ましい形態では、前記長辺側の四隅部と四辺部の中心との間に位置する留め具が、前記ポケット部内に位置する。
このような形態とすることで、より布団のズレを抑制することができる。
【００１０】
本考案の好ましい形態では、前記留め具が、スナップ型の留め具である。
このような形態とすることで、布団のズレを抑制することができ、かつ、布団カバーの取り外しが容易となる。
【考案の効果】
【００１１】
本考案の布団カバーは、従来の布団カバーと比して、布団のズレを抑制する効果に優れる。
また、本考案の好ましい形態では、布団のズレを抑制し、かつ、容易に取り外しが可能となる。
【図面の簡単な説明】
【００１２】
【図１】本考案の一実施形態に係る布団カバーの正面図である。
【図２】本考案の一実施形態に係る布団カバーの背面図である。
【図３】本考案の一実施形態に係る布団カバーの断面図である。
【図４】本考案の一実施形態に係る布団カバーが備える留め具の拡大図である。
【図５】本考案の一実施形態に係る布団カバーの使用状態の参考図である。
【考案を実施するための形態】
【００１３】
以下、図面を参照して、本考案の実施形態について説明するが、本考案は、これに限られない。
【００１４】
図１、２及び３に、本考案の一実施形態の布団カバーの正面図、背面図及び断面図を示す。
【００１５】
本実施形態に係る布団カバー１０は、略長方形のカバー本体部１１と、略長方形のポケット形成用カバー部１２と、留め具２０を有している。
【００１６】
布団カバー１０のサイズは、特に限定されず、布団のサイズに合わせて適宜変更することができる。例えば、子供用、シングル、セミダブル、ダブル、クイーン及びキング等のサイズの布団用のカバーとすることができる。
上記各種サイズに合わせて、カバー本体部１１のサイズを適宜変更することができる。
【００１７】
カバー本体部１１の厚さは、特に限定されず、一般的な布団カバーの厚さの範囲内で適宜変更することができる。
【００１８】
カバー本体部１１の形状は、略長方形であり、四隅部が角張っていても、丸まっていても良い。
【００１９】
本実施形態に係る布団カバー１０は、略長方形のポケット形成用カバー部１２を二つ備える。
ポケット形成用カバー部１２のサイズは、カバー本体部１１のサイズに合わせて適宜変更する。
具体的には、ポケット形成用カバー部１２の長辺の長さは、カバー本体部１１の短辺の長さと略同一である。また、ポケット形成用カバー部１２の短辺の長さは、カバー本体部１１の長辺の長さの２分の１以下である。
【００２０】
本考案の一実施形態として、ポケット形成用カバー部１２の短辺の長さは、カバー本体部１１の長辺の長さの３分の１以下であることが好ましい。
ポケット形成用カバー部１２の短辺の長さを上記範囲内とすることで、布団カバー１０の布団への装着及び取り外しが容易となる。
【００２１】
ポケット形成用カバー部１２の短辺の長さの下限は、特に限定されるものではないが、例えば、カバー本体部１１の長辺の長さの５分の１以上、好ましくは４分の１以上とすることができる。
【００２２】
ポケット形成用カバー部１２は、前記カバー本体部１１と接続している。具体的には、ポケット形成用カバー部１２の１つの長辺と、２つの短辺とが、それぞれ前記カバー本体部１１の１つの短辺と２つの長辺と接続することで、ポケット部１３を形成する。そして、開口部１４が互いに向かいあうように、二つのポケット部１３がカバー本体部１１の同じ面に位置する。
【００２３】
留め具２０は、ポケット形成用カバー部１２が位置するカバー本体部１１の面と同じ面に位置する。
留め具２０ａは、四隅部近傍に位置する。
また、留め具２０ｂは、四辺部の中心近傍に位置する。
さらに、留め具２０ｃは、カバー本体部１１の長辺側における四隅部と四辺部の中心との間に位置する。
【００２４】
本実施形態に係る布団カバー１０において、前記カバー本体部１１の長辺側における四隅部と四辺部の中心の間に位置する留め具２０は、ポケット部１３内に位置する。
ポケット部１３内に位置することで、布団カバー１０と布団とをバランス良く連結することができ、より布団のズレを抑制することができる。
【００２５】
本実施形態に係る布団カバー１０は、留め具２０を１２個有する。
本考案の一実施形態としては、留め具２０を１３個以上有してもよい。
【００２６】
本実施形態に係る布団カバー１０は、スナップ型の留め具２０を備えるが、布団と布団カバー１０を連結することが可能であれば、種類は特に限定されない。
【００２７】
図４に、本実施形態に係る布団カバー１０が備えるスナップ型の留め具２０が開いている状態（左側）及び閉じている状態（右側）の拡大図を示す。
【００２８】
スナップ型の留め具２０は、凸型の上スナップ２１と、凹型の下スナップ２２を有する。
スナップ型の留め具２０は、図４に示す通り、布団３０の紐３１を引っ掛けるように上スナップ２１と下スナップ２２を閉じることで、布団カバー１０と布団とを連結する。
上スナップ２１及び下スナップ２２の材質としては、金属製及びプラスチック製が挙げられる。
【００２９】
本実施形態に係る布団カバー１０は、留め具２０としてスナップ型の留め具を用いることで、取り外しが容易となる。
【００３０】
本実施形態に係る布団カバー１０は、布団３０の両端部をポケット部１３に挿入することで用いられる（図５参照）。そして、留め具２０を、布団３０の紐３１にひっかけることで、布団カバー１０と布団３０とを連結する（図４参照）。
【００３１】
本実施形態に係る布団カバー１０は、布団のズレを抑制することができ、寝心地が良い。
【産業上の利用可能性】
【００３２】
本考案は、敷布団カバー、掛け布団カバーに応用することができる。
【符号の説明】
【００３３】
１０    布団カバー
１１    カバー本体部
１２    ポケット形成用カバー部
１３    ポケット部
１４    開口部
２０    留め具
２０ａ  四隅部近傍に位置する留め具
２０ｂ  四辺部近傍に位置する留め具
２０ｃ  カバー本体部の長辺側における四隅部と四辺部の中心との間に位置する留め具
２１    上スナップ
２２    下スナップ
３０    布団
３１    布団の紐
【図１】
0003212622.tif 000003
【図２】
0003212622.tif 000004
【図３】
0003212622.tif 000005
【図４】
0003212622.tif 000006
【図５】
0003212622.tif 000007